(57)【特許請求の範囲】
【請求項１】
把持柄付の刃物の刃体部分を先端から筒状の鞘に挿入し、挿入した刃物を鞘の一部に係合させる構造において、
鞘は弾性を有する合成樹脂材で成型し、上部における表面板と裏面板の内接寸法が、挿入する刃物の把持柄の厚み寸法と近似寸法である扁平な筒状とし、該鞘の上部には、表面板と裏面板の対向位置に鞘の横幅方向の長孔とした係合孔を穿設するとともに、
鞘に挿入する刃物の把持柄の表裏両面に、鞘に挿入した際に前記鞘の係合孔に係合する円形の係合突起を形成したことを特徴とする刃物と鞘の係止構造。
【発明の詳細な説明】
【技術分野】
【０００１】
この発明は、鋸や鉈などの刃物、主として鋸を携行する際に、刃物の刃部を安全に収容する鞘と刃物との係止構造に関する発明である。
【背景技術】
【０００２】
鋸などの刃物は、安全のために鞘に挿入し、該鞘を腰にぶら下げて携行することが行われている。また、刃物が妄りに脱落しないように刃物と鞘には係止手段を設けるのが一般的である。
上記従来の刃物と鞘の係止手段は、例えば鞘の一部に刃物の柄部分を抱持するベルトを設けるものが知られている。特許文献１に開示されるように、鞘の上部にバネによって内方に付勢される係止体を配置し、係止体の爪を刃物の把持柄に形成した段部に係合させる構造が開示されている。
特許文献２には、鞘の挿入口付近に、先端にフック部を形成したＣ字形弾性枠板を嵌着し、鋸の柄首の螺着ネジにフック部を係止させる構造が開示されている。また、特許文献３には、鞘体の開口部に鞘体自体の弾性によって把持柄を保持する強制保持部を形成する思想が開示されている。
【先行技術文献】
【特許文献】
【０００３】
【特許文献１】特開２００５−２７９８３６号公報
【特許文献２】特開２００７−２６１２４４号公報
【特許文献３】実用新案登録第３０３３５９４号公報
【発明の概要】
【発明が解決しようとする課題】
【０００４】
従来の、鞘の一部に刃物の柄部分を抱持するベルトを設けるものでは、作業中に一々ベルトを着脱する必要があり、取り扱いが面倒であった。また、特許文献１に記載された、バネによって内方に付勢される係止体を配置するものでは、鞘の構造が複雑であってコストアップとなり、製造が面倒であった。特許文献２に記載された、Ｃ字形弾性枠板を嵌着するものでは、ケースに対して別部品であるＣ字形弾性枠板を装着する必要がある。特許文献３に記載された鞘体自体の弾性によって把持柄を保持するものでは、鞘に別部品を装着する必要がない。しかしながら、特許文献２及び３に記載された発明では、常にＣ字形弾性枠板あるいは鞘の強制保持部が把持柄に対して弾性的に当接することになり、内部応力によって時間の経過とともにＣ字形弾性枠板あるいは鞘の強制保持部が変形する。この変形によって弾性力が弱くなり、十分な係止機能を果たすことが出来なくなるといった欠点があった。
【０００５】
上記、従来技術の欠点に鑑み、本発明は、従来の把持柄と鞘の係止構造のように、別部品を装着する必要がなく比較的簡単な構造で実現することができるものであって、把持柄の変形、経年変化によって係止力が損なわれるようなことがなく、刃物の把持柄と鞘を長期にわたって安定的に係止することができる構造を提供することを目的とする発明である。
【課題を解決するための手段】
【０００６】
本発明は、把持柄２付の刃物１の刃体３部分を先端から筒状の鞘４に挿入し、挿入した刃物１を鞘４の一部に係合させる構造に関するものである。
前記目的を達成する請求項１記載の発明は、鞘４は弾性を有する合成樹脂材で成型し、上部の表面板4aと裏面板4bの内接寸法が挿入する刃物１の把持柄２の厚み寸法と近似寸法である扁平な筒状とし、鞘４の上部には、表面板4aと裏面板4bの対向位置に係合孔５を穿設する。この係合孔５は、鞘４の横幅方向の長孔とする。そして、鞘４に挿入する刃物１の把持柄２の表裏両面に、鞘４に挿入した際に前記鞘の係合孔５に係合する円形の係合突起６を形成することによって、鞘４に挿入した刃物１を鞘に収容した状態に保持する。
【０００７】
本発明を実施する上において、把持柄２の厚み寸法を、鞘４の表面板4aと裏面板4bの内接寸法以下とするのが望ましい。

【発明の効果】
【０００８】
請求項１記載の発明によれば、鋸などの刃物１の刃体３を鞘４の上端開口部から挿入し、把持柄２の表裏両面に形成した係合突起６、６を鞘４の表面板4aと裏面板4bの間に押し込むと、係合突起６、６と、鞘４の表面板4aと、裏面板4bに穿設した係合孔５に係合し、この係合状態を維持することによって、刃体３が鞘４に係止され、安全に携行することができる。
【０００９】
鞘４は、弾性を有する合成樹脂材で成型されていることと、鞘４上部の表面板4aと裏面板4bの内接寸法が、挿入する刃物１の把持柄２の厚み寸法と近似寸法であることによって、把持柄２の表裏両面に形成した係合突起６、６によって表面板4aと裏面板4bの間隔を無理なく押し開いて挿入し、係合孔５、５に係合させる。係合突起６が係合孔５に係合すると、表面板4aと裏面板4bの間隔が元の状態に復帰し、表面板4aと裏面板4bに無理な力が作用することなく係合孔５と係合突起６の係合状態を維持する。そのため、内部応力による経年変化や疲労で表面板4aと裏面板4bの間隔が広がるようなことがなく、長く係止機能を保持することができる。
【００１０】
本発明に係る係止構造は、鞘４上部の表面板4aと裏面板4bに係合孔５、５を穿設することと、把持柄２の表裏両面に係合突起６、６を形成することによって実現するため、別部品などを必要とせず、非常に簡単な構造で係止構造を実現することができる効果がある。換言すれば、刃物と鞘の係止構造を安価に実現することができる効果がある。
【００１１】
さらに、鞘４上部の表面板4aと裏面板4bに穿設する係合孔５、５を長孔とすることによって刃物１の向きを左右いずれの方向に挿入しても係合突起６を係合孔５に係合させることができる。換言すれば、鞘を腰の右、左いずれにぶら下げた状態（右利き、左利きのいずれの場合）でも使用することができる効果がある。
【００１２】
把持柄２に形成する係合突起６が、鞘４へ挿入する状態における中心位置に形成されるものであれば、鞘４の幅方向の中心位置に穿設した円形の係合孔５に係合突起６が係合するが、握り易さ等を考慮して把持柄２そのものを変形させるのが普通であり、係合突起６は鞘４の幅方向の中心位置よりも多少変位した位置に配置されるのが普通である。  そのため、係合孔５を長孔とすることによって、刃物１を左右反対に鞘に挿入しても、係合孔５と係合突起６が係合する。これにより、右利き、左利きのいずれにも対応することが可能となる。
【００１３】
刃物１を鞘４に挿入するとき、把持柄の係合突起６、６によって鞘４の表面板4aと裏面板4bは押し広げられる。このとき、把持柄２の厚み寸法を、鞘４の表面板4aと裏面板4bの内接寸法以下としておくと、係合突起６が係合孔５に係合することによって、表面板4aと裏面板4bを押し広げる力がなくなる。そのため、鞘４に変形を生じる可能性がなくなり係止機能を損なうことがない。したがって、より一層永く使用することができる。
【図面の簡単な説明】
【００１４】
【図１】図１は、刃物と鞘を分離させた状態で示す正面図、
【図２】図２は、刃物を挿入した状態の鞘の縦断面図、
【図３】図３は、把持柄を挿入する状態を示す、鞘の上部のみの断面図、
【図４】図４は、刃物を左右反対に挿入する状態を示す鞘上部の概略図である。
【発明を実施するための形態】
【００１５】
以下、本発明に係る刃物と鞘の係止構造の実施形態を、添付の図面に基づいて説明する。
図１は、刃物と鞘を分離させた状態で示す正面図である。刃物１は、携帯用の鋸であって、刃体３の基部に湾曲させた把持柄２を装着している。
【００１６】
鞘４は、弾性を有する合成樹脂材で一体に成型する。合成樹脂財で成型する鞘４は、扁平な筒状であって、上端の開口部4cから刃物１の刃体３を挿入し、鞘４の上部に把持柄２の一部を挿入させるものである。すなわち、刃物１が鋸である場合、刃体３が非常に薄いものであるため、図２に示すように筒状である鞘のうち、刃体３が挿入される部分は表面板4aと裏面板4bの間隔を狭く、鞘４の上部の表面板4aと裏面板4bの間隔は、把持柄２の先端部分を挿入することができる間隔に形成する。
【００１７】
鞘４の裏面板4bの上端部分には、吊り下げ片７を取り付け、この吊り下げ片７を利用して作業者の腰ベルトなどに鞘を吊り下げて携行することができるようにしている。このとき、右利きの人は右側に、左利きの人は左側に鞘を吊り下げる。
把持柄２の先端部分が挿入される鞘４の上部には、表面板4aと裏面板4bのそれぞれ対向位置に、係合孔５、５を穿設している。
【００１８】
鞘４に挿入する刃物１の把持柄２には、表裏両側面に、前記した鞘４の係合孔５、５に係合する係合突起６、６を設けている。すなわち、刃物１を鞘４上端の開口部4cから挿入し、把持柄６の先方部分が、鞘４の上部に入り込んだときに、把持柄２の側面に形成した係合突起６、６が、鞘の上部に穿設した係合孔５、５に係合し、刃物１と鞘４の係合状態が維持され、安全に携行することができるものである。
【００１９】
刃物１と鞘４の係合状態を確実に維持するために、鞘４の上部における係合孔５、５を穿設する部分の表面板4aと裏面板4bの間隔Ｗと、把持柄２の係合突起６、６を形成する部分の厚みＴをほぼ等しい寸法に形成する。表面板4aと裏面板4bの間隔Ｗが、把持柄２の厚みＴよりも微妙に大きなものであっても、表面板4aと裏面板4bの間隔を押し広げた状態で刃物１を保持することができるものであるが、把持柄２の厚みＴが、表面板4aと裏面板4bの間隔以下であると、把持柄２の係合突起６、６で表面板4aと裏面板4bの間隔を押し広げながら挿入し、係合孔５、５に係合突起６、６が係合することによって元の間隔Ｗに復帰する。これにより、鞘４に内部応力が残留することがなくなり、鞘４の変形を回避することができる。したがって、鞘４に挿入した刃物１をいつまでも確実に保持することができる。ただし、鞘４の内側面と挿入した刃物の把持柄の間に大きな隙間が形成される状態は、携行時に把持柄がガタ付くため、なるべく隙間は小さいものであることが好ましい。
【００２０】
鞘４に穿設する係合孔５、５は、係合突起６、６と係合するものであれば、係合孔及び係合突起のいずれもが円形であってもよい。しかしながら、図示実施形態では、係合突起６、６を円形とし係合孔５、５は鞘４の横幅方向の長孔としている。そして、係合孔５、５は、鞘４の横幅方向の略中心位置に配置している。
鞘４に形成した円形の係合孔５、５に、把持柄２に形成した円形の係合突起６、６を係合させるためには、係合孔５と係合突起６の位置を正確に合わせる必要がある。係合孔５と係合突起６の位置を合わせるには、鞘の横幅方向の中心位置に対応する把持柄２の表裏両面に、係合突起６、６を配置することによって、把持柄を左右反転させても鞘の中心に穿設した円形の係合孔５に係合させることができる。
【００２１】
しかしながら、把持柄２を握り易い形状に湾曲させる場合、係合突起６は鞘の幅方向の中心位置からずれた位置に形成することになる。したがって、鞘４の表面板4a及び裏面板4bに穿設する係合孔５を横幅方向の長孔に形成することによって、図４に示すように刃物を実線で示す右利き用の挿入状態と、二点鎖線で示す左利き用の挿入状態のいずれの場合にも、係合突起６を係合孔５に係合させることができる。すなわち、図４における実線の挿入位置においては、係合突起６が係合孔５の左側に係合し、二点差線の挿入位置においては係合突起が係合孔５の右側に係合する。
【符号の説明】
【００２２】
１…刃物、  ２…把持柄、  ３…刃体、  ４…鞘、  4a…表面板、  4b…裏面板、  4c…開口部、  ５…係合孔、  ６…係合突起、  ７…吊り下げ片。
【図１】
0005474849.tif 000002
【図２】
0005474849.tif 000003
【図３】
0005474849.tif 000004
【図４】
0005474849.tif 000005